(57)【特許請求の範囲】
【請求項１】
前端に発射口を有する筒体の内部に、火薬体と、この火薬体に通し付けられて上記筒体の後端穴から導出する引紐と、上記火薬体と上記発射口との間に前後にして配される１個もしくは２個以上の噴出物と受圧板とを収納しており、上記引紐の引っ張り操作で上記火薬体が爆発し、この爆発圧を上記受圧板が受圧して上記噴出物を上記発射口から前方へ空中発射させるようにしてあるクラッカーにおいて、
上記受圧板が、上記噴出物の載置面を有する受圧頭部と、この受圧頭部の外周縁の一箇所から折曲自在に後方へ連設された第１脚部と、受圧頭部の外周縁の第１脚部連設箇所とは反対側の他の箇所から折曲自在に後方へ連設された第２脚部とを有し、上記第１脚部の後端部は上記火薬体から前方へ延出された引紐の前方延出端部と一体的に結合し、上記第２脚部の後端部には展開状態の上記受圧板の一側縁に沿って形成された可撓性を有する細長い帯状の延出用アームの後端部を折曲自在に連設してあり、この延出用アームの先端部は上記受圧頭部よりも前方へ延出させて上記各噴出物の一端部と一体的に結合してあることを特徴とするクラッカー。
【発明の詳細な説明】
【０００１】
【発明の属する技術分野】
本発明は、クリスマスや結婚式の祝宴などに用いられ、引紐の引っ張り操作で爆発音をたてるとともに小巻きテープ等の噴出物を空中に発射させるクラッカーに関する。
【０００２】
【従来の技術】
この種のクラッカーとして、爆発に伴い空中へ飛び出す小巻きテープ等の噴出物が筒体から分離、離脱してクラッカーの使用場所の周囲に広く散乱することのないように、噴出物の一端部を筒体の内面に接着テープや糊などで貼り付けたり、あるいは筒体に保持された受圧板に係止したりしたもの（例えば、特開平８−１３６１９６号公報）は公知である。
【０００３】
【発明が解決しようとする課題】
しかるに、噴出物の一端部を筒体又は受圧板に一体的に結合する上記クラッカーでは、筒体の発射口からの噴出物の延出長さが短く、また噴出物の自由な飛び出しが規制されるため、噴出物が発射口から空中へ自由に高く、遠くへ飛ばず、クラッカー本来の機能である興趣性、演出効果が低下半減することを知見した。
【０００４】
そこで本発明の目的は、このような問題を解消するためになされたもので、発射後の噴出物の散乱防止を確保しながら飛距離を必要かつ十分に伸ばすことができて興趣性、演出効果の高いクラッカーを提供することにある。
【０００５】
【課題を解決するための手段】
本発明の前提とするクラッカーは、図１及び図２に例示するごとく、前端に発射口２を有する筒体１の内部に、火薬体４と、この火薬体４に通し付けられて上記筒体１の後端穴９から導出する引紐５と、火薬体４と上記発射口２との間に前後にして配される１個もしくは２個以上の噴出物６と受圧板７とを収納しており、引紐５の引っ張り操作で火薬体４が爆発し、この爆発圧を受圧板７が受圧して上記噴出物６を発射口２から前方へ空中発射させるようにしてあるものである。
【０００６】
そのうえで、本発明は、上記受圧板７が、上記噴出物６の載置面を有する受圧頭部７ａと、この受圧頭部７ａの外周縁の一箇所から折曲自在に後方へ連設された第１脚部７ｂと、受圧頭部７ａの外周縁の他の箇所から折曲自在に後方へ連設された第２脚部７ｃとを有し、第１脚部７ｂの後端部は上記火薬体４から前方へ延出された引紐５の前方延出端部５ｂと一体的に結合し、第２脚部７ｂの後端部には展開状態の上記受圧板７の一側縁に沿って形成された可撓性を有する細長い帯状の延出用アーム１１の後端部を折曲自在に連設してあり、この延出用アーム１１の先端部は上記受圧頭部７ａよりも前方へ延出させて上記各噴出物６の一端部と一体的に結合してあることに特徴を有するものである。
【０００７】
【作用】
噴出物は火薬体の爆発圧を受圧板を介して受けて筒体の発射口から前方へ空中発射するが、このとき、受圧板の受圧頭部が爆発圧を受けることにより、第１脚部の後端部が引紐の前方延出端部と連結されている状態の下で、瞬間的に、図２のように、受圧頭部が第１脚部との折曲自在な連設部を伸ばして第１脚部の前方延長線上に展開し、さらに第２脚部が受圧頭部との折曲自在な連設部を伸ばして前方へ延びるととも、延出用アームも第２脚部との折曲自在な連設部で反転して発射口より前方へ長く延びる。このように受圧板及び延出用アームが一直線状に長く延びたところで延出用アームの先端部によって噴出物を振り出すように勢いよく空中へ放出する。したがって、こうした受圧板の第１脚部、受圧頭部及び第２脚部の展開方向長さに延出用アームの長さを加えた長さ分だけ噴出物を、発射口から空中に自由に高く遠方へ飛ばすことができ、つまり噴出物の飛距離を伸ばすことができる。また発射後、噴出物は、延出用アーム、受圧板及び引紐を介して筒体側と連なった状態のままであるので、筒体から離脱して周囲に散乱することがない。
【０００８】
第１脚部及び第２脚部は受圧頭部の後方へ折曲してあるので、噴出物の引っ掛かりを防止でき、噴出物を確実に発射口から飛び出させることができる。
【０００９】
【発明の実施の形態】
図１は本発明の一実施例を示すクラッカーの縦断面図、図２は同クラッカーを使用状態で示した斜視図、図３は同クラッカーの受圧板の打ち抜き加工状態の展開平面図である。
【０００１０】
図１に示すように、このクラッカーは前方へ至るに従い径大な円錐又は角錐状の紙製又はプラスチック製の筒体１の前端に、発射口２を形成するとともに、筒体１の前端に折曲自在に連設した複数のフラップよりなる蓋部３で発射口２を開放可能に塞いでいる。筒体１の内部には火薬体４と、火薬体４に通し付けられた引紐５と、発射口２と火薬体４との間に前後にして配される噴出物６及び受圧板７と、引紐５の火薬体４より後ろ側に移動自在に挿通された漏斗形の火薬体受け座８とを収納している。火薬体受け座８より後方へ延出する引紐５の後端部５ａは筒体１の後端穴９から外部へ導出している。
【００１１】
筒体１内の噴出物６と火薬体４との間で前後方向に移動可能に配備される上記受圧板７は、噴出物６の載置面を有する円板状の受圧頭部７ａと、この受圧頭部７ａの外周縁の一箇所から折曲自在に後方へ連設された第１脚部７ｂと、受圧頭部７ａの外周縁の他の箇所から折曲自在に後方へ連設された第２脚部７ｃとを有する。第１脚部７ｂはこれの後端部に穴１０を有し、この穴１０に上記火薬体４から前方へ余長を持って延出された引紐５の前方延出端部５ｂを通して一体的に結び付けている。一方、第２脚部７ｂの後端部の一側には可撓性を有する細長い帯状の延出用アーム１１の後端部を折目１２を介して折曲自在に一体に連設してある。この延出用アーム１１は第２脚部７ｃの一側縁に沿わせて受圧頭部７ａより前方へ延出し、その先端部に穴１３を設け、この穴１３に上記噴出物６の一端部を通して一体的に結び付けている。
【００１２】
上記受圧板７は平紙を打ち抜き加工することによって得られるが、この場合、図３のように板取りすることによって受圧板７をスクラップをほとんど出すことなく打ち抜くことができる。すなわち、従来、１枚の平紙より第１，２脚部７ｂ，７ｃ付きの受圧板７を多数個打ち抜くとき、各受圧板７の両側にシデと呼ばれる抜きかすとして廃棄され部分が生じていたが、今回はその廃棄部分を延出用アーム１１として活用するものである。
【００１３】
すなわち、図３に示す板取りによれば、受圧板７の第２脚部７ｃに連設される延出用アーム１１は、第２脚部７ｃの後端部から折目１２を介して第２脚部７ｃの一側縁に沿う直線状の後半部１１ａと、受圧頭部７ａの同側縁に沿う円弧状の中間部１１ｂ、及び第１脚部７ｂの同側縁に沿う前半部１１ｃとを一体に連続状に形成してなり、前半部１１ｃの一側縁は第１脚部７ｂの側縁に沿って直縁状に形成され、前半部１１ｃの他側縁はこれに隣接する受圧頭部７ａの円周一部に沿う形の凹円弧状に形成され、前半部１１ｃの先端は凸円弧状に形成される。
そして、縦列方向に隣接し合う受圧板７，７どうしは第２脚部７ｃ，７ｃどうし又は第１脚部７ｂ，７ｂどうしを突き合わすように並べる一方、横列方向に隣接し合う受圧板７，７どうしは受圧頭部７ａの略直径長さ分だけ縦方向にずらした状態に配列したうえで、各受圧板７の第２脚部７ｃに連設する上記形状の延出用アーム１１がこれの横に隣接する受圧板７との間に位置するように配列している。
【００１４】
また、図４及び図５に示す他の実施例では、縦列方向において隣接し合う受圧板７，７の一方の第１脚部７ｂが他方の受圧板７の第２脚部７ｃに突き合うように並べる一方、横列方向に隣接し合う受圧板７，７どうしは受圧頭部７ａの半径長さに第１脚部７ｂの長さを加算した長さ分だけ縦方向にずらした状態に配列したうえで、各受圧板７の第２脚部７ｃに連設する延出用アーム１１がこれの横に隣接する受圧板７との間に位置するように配列している。
【００１５】
このような図３、図４の板取りの仕方を採用することによって、延出用アーム１１を持つ受圧板７はスクラップをほとんど出すことなく打ち抜くことができて経済的である。
【００１６】
上記噴出物６は、図１に示すように、適当な巻き長さ（例えば２ｍ）を有する複数個（図示例では４個）の小巻きテープ１４からなり、各小巻きテープ１４の巻終端部１４ａをテープ環１５の内周面部に接着固定してなる。そのテープ環１５の延出端部１５ａは上記延出用アーム１１の先端の穴１３に通して結び付けている。小巻きテープ１４は紙製のカラーテープ、あるいはプラスチックフィルムよりなるテープ基材にアルミニウム等の金属を蒸着したものなどである。
【００１７】
上記構成のクラッカーにおいては、引紐５の後端部５ａを後方へ強く引っ張って火薬体４を爆発させると、蓋部３は爆風を受圧板７を介して受けることにより開いて発射口２を開放し、噴出物６が受圧板７により発射口２から前方へ向けて放出される。このとき、受圧板７の受圧頭部７ａが爆発圧を受けることにより、第１脚部７ｂが引紐５の前方延出端部５ｂと連結されている状態の下で、瞬間的に、図２のように、受圧頭部７ａが第１脚部７ｂとの折曲自在な連設部を伸ばして第１脚部７ｂの前方延長線上に展開し、さらに第２脚部７ｃが受圧頭部７ａとの折曲自在な連設部を伸ばして前方へ延びるとともに、延出用アーム１１も第２脚部７ｃとの折曲自在な折目１２部分で反転して発射口２より前方へ長く延びる。このように受圧板７及び延出用アーム１１が一直線状に長く延びたところで延出用アーム１１の先端部によって小巻きテープ１４を振り出すように勢いよく空中へ放出する。
【００１８】
このとき、第１脚部７ｂの長さ、受圧頭部７ａの径方向長さ、及び第２脚部７ｃの長さに更に延出用アーム１１の長さを加えた長さ分だけ小巻きテープ１４の飛距離を伸ばすことができ、小巻きテープ１４を空中へ高く遠方へ飛ばすことができる。また発射後、小巻きテープ１４は、延出用アーム１１、受圧板７及び引紐５を介して筒体１側と連なった状態に保たれているため、小巻きテープ１４が筒体１から離脱して周囲に散乱することがなく、これをいちいち拾い集めるような手間が省略される。したがって使用済みのクラッカーの回収、後始末が簡易迅速に行える。
【００１９】
噴出物６としては上記実施例の小巻きテープ１４のほかに、図６のように複数個の小巻きテープ１４と、この各小巻きテープ１４を外周接合状態に結束する外巻きテープ環１６により構成し、その外巻きテープ環１６の内周面部に各小巻きテープ１４の巻終端部１４ａをそれぞれ接着固定したものを使用することができる。この場合、外巻きテープ環１６の延出端部１６ａが延出用アーム１１の先端の穴１３に通し付けられる。これが発射する時は、図７のように各小巻きテープ１４が外巻きテープ環１６から飛び出して開く。
【００２０】
また、図８のように、噴出物６としては、複数個の小巻きテープ１４を順次巻終端部１４ａどうしを直列状に接続してなるものであってもよく、この場合は、この直列接続の小巻きテープ１４群の中の最後尾の小巻きテープ１４の巻終端部１４ａが延出用アーム１１の先端の穴１３に通し付けられる。なお、噴出物６としては、その他に、多数の旗をテープや紐で連鎖状につないだ連鎖旗を巻回したものなどを使用することもできる。
【００２１】
上記した各実施例では噴出物６の一端部を延出用アーム１１の先端部に一体的に結合するにあたって結び付け手段を採用しているが、これに代えて接着テープや糊などで一体的に結合することもできる。また、図９に示すように、受圧板７を筒体１に収納する際、延出用アーム１１は第２脚部７ｃの一側方で２〜３重にジグザグ状に折り重ねたうえでその先端を受圧頭部７ａより前方へ延出させることもできる。また図１０の（ａ）に示すように、延出用アーム１１は第２脚部７ｃの一側方に蛇行状に連設することによりできる限り長いものを得ることができる。この場合、延出用アーム１１の第２脚部７ｃとの連設部のほかに各屈曲部にも折目１２を付ける。このように形成された延出用アーム１１は、発射時に同図の（ｂ）のように各折目１２部分で反転して前方へ可及的に長く延ばすことができる。
また、図示例では噴出物６が１個しか筒体１に収納されてないが、その２個以上を筒体１に収納することもできる。
【００２２】
【発明の効果】
本発明のクラッカーによれば、延出用アームを備えた受圧板と引紐とでもって、小巻きテープ等の噴出物と筒体側とを連結してあるので、発射後に噴出物が筒体から離脱して周囲に散乱することがないばかりか、噴出物の飛距離を十分に伸ばすことができてクラッカー本来の興趣性、演出効果を高めることができるという利点がある。
【図面の簡単な説明】
【図１】  クラッカーの縦断面図である。
【図２】  同クラッカーを使用状態で示した斜視図である。
【図３】  同クラッカーの受圧板の打ち抜き加工状態の展開平面図である。
【図４】  他の実施例を示すクラッカーの受圧板の打ち抜き加工状態の展開平面図である。
【図５】  図４の受圧板を組み立て状態で示す斜視図である。
【図６】  他の実施例のクラッカーの噴出物を示す斜視図である。
【図７】  図６の噴出物の飛行状態を示す斜視図である。
【図８】  更に他の実施例のクラッカーの噴出物の飛行状態を示す斜視図である。
【図９】  更に又、他の実施例を示すクラッカーの縦断面図である。
【図１０】  更に又、他の実施例のクラッカーの受圧板を示しており、（ａ）はその展開平面図、（ｂ）は発射時に延びた状態を示す平面図である。
【符号の説明】
１  筒体
２  発射口
３  蓋部
４  火薬体
５  引紐
６  噴出物
７  受圧板
７ａ  受圧頭部
７ｂ  第１脚部
７ｃ  第２脚部
９  後端穴
１１  延出用アーム
【図１】
0004065622.tif 000002
【図２】
0004065622.tif 000003
【図３】
0004065622.tif 000004
【図４】
0004065622.tif 000005
【図５】
0004065622.tif 000006
【図６】
0004065622.tif 000007
【図７】
0004065622.tif 000008
【図８】
0004065622.tif 000009
【図９】
0004065622.tif 000010
【図１０】
0004065622.tif 000011